【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】
貨幣の支払いに応じた価値であって遊技に使用可能な第１の遊技用価値の大きさを特定可能な第１情報と、遊技により遊技者が獲得した価値であって遊技に使用可能な第２の遊技用価値の大きさを特定可能な第２情報と、が少なくとも記録された遊技用記録媒体を受付け、該受付けた前記遊技用記録媒体に記録されている前記各情報を読み取り、該読み取った前記第１情報により特定される前記第１の遊技用価値の大きさを使用した遊技媒体の貸与処理である第１の貸与処理と、該読み取った前記第２情報により特定される前記第２の遊技用価値の大きさを使用した遊技媒体の貸与処理である第２の貸与処理と、を行う記録媒体処理装置と、
該記録媒体処理装置と通信接続され、各遊技用記録媒体の前記第１の遊技用価値の大きさを、各遊技用記録媒体の前記第１情報に対応付けて管理する第１管理装置と、
該記録媒体処理装置と通信接続され、各遊技用記録媒体の前記第２の遊技用価値の大きさを、各遊技用記録媒体の前記第２情報に対応付けて管理する第２管理装置と、
から構成される遊技用システムであって、
前記記録媒体処理装置は、前記遊技用記録媒体を受付けると該受付けた遊技用記録媒体の少なくとも前記第１情報を読み取り、該読み取った第１情報を含む第１照合要求情報を前記第１管理装置に送信し、
該第１照合要求情報を受信した前記第１管理装置は、該第１照合要求情報に含まれる前記第１情報の照合を実施し、該照合により該第１情報が正規な情報であると判定した場合において、第１情報に対応する第１の遊技用価値の大きさの遊技への使用許可を示す第１使用許可情報を記録媒体処理装置に返信し、
該第１使用許可情報を受信した記録媒体処理装置は、前記第１情報にて特定された第１の遊技用価値の大きさの範囲内において前記第１の貸与処理を行い、
更に前記記録媒体処理装置は、前記第２情報の読み取りに応じて、該第２情報を含む第２照合要求情報を前記第２管理装置に送信し、
該第２照合要求情報を受信した前記第２管理装置は、該第２照合要求情報に含まれる前記第２情報の照合を実施し、該照合により該第２情報が正規な情報であると判定した場合において、第２情報に対応する第２の遊技用価値の大きさの遊技への使用許可を示す第２使用許可情報を記録媒体処理装置に返信し、
該第２使用許可情報を受信した記録媒体処理装置は、前記第２情報にて特定された第２の遊技用価値の大きさの範囲内において前記第２の貸与処理を行い、
前記記録媒体処理装置、前記第１管理装置及び前記第２管理装置にはそれぞれアドレスが付与されており、前記記録媒体処理装置、前記第１管理装置及び前記第２管理装置は、各アドレスを送信データに付与して送受信することにより、共通の伝送ラインを通じて互いにデータの送受を実施するとともに、
前記伝送ラインに、前記送信データに付与されたアドレスに基づいて前記記録媒体処理装置から前記第１管理装置への送信データが前記第２管理装置へ送信されないように制御するとともに、前記第２の管理装置から前記第１の管理装置へのアクセスができないように制御する情報伝送規制装置を備えることを特徴とする遊技用システム。
【請求項２】
前記遊技用記録媒体は第１情報が記録される第１記録部と、第２情報が記録される第２記録部とを備え、
前記記録媒体処理装置は、前記第１記録部の記録情報を読み取る第１読み取り部と、前記第２記録部の記録情報を読み取る第２読み取り部とを備える請求項１に記載の遊技用システム。
【請求項３】
前記記録媒体処理装置は、前記第２照合要求情報の送信を遊技者による前記第２の貸与処理要求に応じて行う請求項１または２に記載の遊技用システム。
【請求項４】
前記第２の貸与処理における遊技媒体の貸与を、前記第１の貸与処理と同様の処理形態にて実施する請求項１〜３のいずれかに記載の遊技用システム。
【手続補正２】
【補正対象書類名】明細書
【補正対象項目名】０００８
【補正方法】変更
【補正の内容】
【０００８】
【課題を解決するための手段】
前記した問題を解決するために、本発明の遊技用システムは、貨幣の支払いに応じた価値であって遊技に使用可能な第１の遊技用価値の大きさを特定可能な第１情報と、遊技により遊技者が獲得した価値であって遊技に使用可能な第２の遊技用価値の大きさを特定可能な第２情報と、が少なくとも記録された遊技用記録媒体を受付け、該受付けた前記遊技用記録媒体に記録されている前記各情報を読み取り、該読み取った前記第１情報により特定される前記第１の遊技用価値の大きさを使用した遊技媒体の貸与処理である第１の貸与処理と、該読み取った前記第２情報により特定される前記第２の遊技用価値の大きさを使用した遊技媒体の貸与処理である第２の貸与処理と、を行う記録媒体処理装置と、
該記録媒体処理装置と通信接続され、各遊技用記録媒体の前記第１の遊技用価値の大きさを、各遊技用記録媒体の前記第１情報に対応付けて管理する第１管理装置と、
該記録媒体処理装置と通信接続され、各遊技用記録媒体の前記第２の遊技用価値の大きさを、各遊技用記録媒体の前記第２情報に対応付けて管理する第２管理装置と、
から構成される遊技用システムであって、
前記記録媒体処理装置は、前記遊技用記録媒体を受付けると該受付けた遊技用記録媒体の少なくとも前記第１情報を読み取り、該読み取った第１情報を含む第１照合要求情報を前記第１管理装置に送信し、
該第１照合要求情報を受信した前記第１管理装置は、該第１照合要求情報に含まれる前記第１情報の照合を実施し、該照合により該第１情報が正規な情報であると判定した場合において、第１情報に対応する第１の遊技用価値の大きさの遊技への使用許可を示す第１使用許可情報を記録媒体処理装置に返信し、
該第１使用許可情報を受信した記録媒体処理装置は、前記第１情報にて特定された第１の遊技用価値の大きさの範囲内において前記第１の貸与処理を行い、
更に前記記録媒体処理装置は、前記第２情報の読み取りに応じて、該第２情報を含む第２照合要求情報を前記第２管理装置に送信し、
該第２照合要求情報を受信した前記第２管理装置は、該第２照合要求情報に含まれる前記第２情報の照合を実施し、該照合により該第２情報が正規な情報であると判定した場合において、第２情報に対応する第２の遊技用価値の大きさの遊技への使用許可を示す第２使用許可情報を記録媒体処理装置に返信し、
該第２使用許可情報を受信した記録媒体処理装置は、前記第２情報にて特定された第２の遊技用価値の大きさの範囲内において前記第２の貸与処理を行い、
前記記録媒体処理装置、前記第１管理装置及び前記第２管理装置にはそれぞれアドレスが付与されており、前記記録媒体処理装置、前記第１管理装置及び前記第２管理装置は、各アドレスを送信データに付与して送受信することにより、共通の伝送ラインを通じて互いにデータの送受を実施するとともに、
前記伝送ラインに、前記送信データに付与されたアドレスに基づいて前記記録媒体処理装置から前記第１管理装置への送信データが前記第２管理装置へ送信されないように制御するとともに、前記第２の管理装置から前記第１の管理装置へのアクセスができないように制御する情報伝送規制装置を備えることを特徴としている。
この特徴によれば、前記情報伝送規制装置を有することで、前記記録媒体処理装置と第１管理装置並びに前記第２管理装置とを前記共通の伝送ラインにて接続した構成としても、前記第１管理装置に対して前記記録媒体処理装置から送信される貨幣の支払いに応じた価値であって遊技に使用可能な第１の遊技用価値の大きさに関する情報が、前記第２管理装置に送信されることが規制されるとともに、前記第２の管理装置から前記第１の管理装置へのアクセスも規制されるようになるため、前記第１の遊技用価値の大きさに関する情報や前記第１の管理装置にて管理しているデータが、前記第２管理装置側にて入手されることを回避することができ、結果的に前記第１の遊技用価値や前記第１の管理装置にて管理しているデータが改竄される等の不正が実施される危険性を大幅に低減できる。
【手続補正３】
【補正対象書類名】明細書
【補正対象項目名】０１８９
【補正方法】変更
【補正の内容】
【０１８９】
【発明の効果】
本発明は次の効果を奏する。
（ａ）請求項１の発明によれば、前記情報伝送規制装置を有することで、前記記録媒体処理装置と第１管理装置並びに前記第２管理装置とを前記共通の伝送ラインにて接続した構成としても、前記第１管理装置に対して前記記録媒体処理装置から送信される貨幣の支払いに応じた価値であって遊技に使用可能な第１の遊技用価値の大きさに関する情報が、前記第２管理装置に送信されることが規制されるとともに、前記第２の管理装置から前記第１の管理装置へのアクセスも規制されるようになるため、前記第１の遊技用価値の大きさに関する情報や前記第１の管理装置にて管理しているデータが、前記第２管理装置側にて入手されることを回避することができ、結果的に前記第１の遊技用価値や前記第１の管理装置にて管理しているデータが改竄される等の不正が実施される危険性を大幅に低減できる。